(57)【要約】  本発明は、（ａ）低エンドトキシンアルギン酸の１価金属塩、（ｂ）カルボキシメチルセルロースまたはその薬学的に許容される塩、および（ｃ）細胞を組合せて用いる癒着防止用組成物を提供する。これにより、癒着防止効果の高い癒着防止用組成物が提供される。
2016114355.tif 000002
【特許請求の範囲】
【請求項１】
（ａ）低エンドトキシンアルギン酸の１価金属塩、（ｂ）カルボキシメチルセルロースまたはその薬学的に許容される塩、および（ｃ）細胞を組合せて用いる癒着防止用組成物。
【請求項２】
前記細胞が、間葉系幹細胞である、請求項１に記載の組成物。
【請求項３】
前記アルギン酸の１価金属塩のエンドトキシン含有量が、５００ＥＵ／ｇ以下である、請求項１または２に記載の組成物。
【請求項４】
前記アルギン酸の１価金属塩が、アルギン酸ナトリウムまたはアルギン酸カリウムである、請求項１〜３のいずれか１項に記載の組成物。
【請求項５】
前記組成物が、流動性を有する液体状である、請求項１〜４のいずれか１項に記載の組成物。
【請求項６】
前記組成物の粘度が、５ｍＰａ・ｓ〜１０００００ｍＰａ・ｓである、請求項５に記載の組成物。
【請求項７】
さらに、アルギン酸の１価金属塩の硬化剤を含有する、請求項１〜４のいずれか１項に記載の組成物。
【請求項８】
（ａ）低エンドトキシンアルギン酸の１価金属塩、および（ｂ）カルボキシメチルセルロースおよびその薬学的に許容される塩を組合せて用い、かつ（ｃ）細胞を用いない、癒着防止用組成物。
【請求項９】
前記アルギン酸の１価金属塩のエンドトキシン含有量が、５００ＥＵ／ｇ以下である、請求項８に記載の組成物。
【請求項１０】
前記アルギン酸の１価金属塩が、アルギン酸ナトリウムまたはアルギン酸カリウムである、請求項８または９に記載の組成物。
【請求項１１】
前記組成物が、流動性を有する液体状；シート状、スポンジ状、粉体およびパウダー状からなる群から選択される固形物状；半固形状；またはゲル状である、請求項８〜１０のいずれか１項に記載の組成物。
【請求項１２】
前記組成物が、流動性を有する液体状であり、その粘度が、５ｍＰａ・ｓ〜１０００００ｍＰａ・ｓである、請求項１１に記載の組成物。
【請求項１３】
さらに、アルギン酸の１価金属塩の硬化剤を含有する、請求項８〜１１のいずれか１項に記載の組成物。
【請求項１４】
（ａ）低エンドトキシンアルギン酸の１価金属塩、（ｂ）カルボキシメチルセルロースまたはその薬学的に許容される塩、および（ｃ）細胞を組合せて用いる組成物を、癒着防止を必要とする対象に適用することを含む、癒着防止方法。
【請求項１５】
（ａ）低エンドトキシンアルギン酸の１価金属塩、および（ｂ）カルボキシメチルセルロースまたはその薬学的に許容される塩から選択される増粘剤を組合せて用い、かつ（ｃ）細胞を用いない組成物を、癒着防止を必要とする対象に適用することを含む、癒着防止方法。
【請求項１６】
（ｂ）カルボキシメチルセルロースまたはその薬学的に許容される塩、および（ｃ）細胞と組合せて用いられる、（ａ）低エンドトキシンアルギン酸の１価金属塩を含有する癒着防止用組成物。
【請求項１７】
（ｂ）カルボキシメチルセルロースまたはその薬学的に許容される塩と組合せて用いられ、かつ（ｃ）細胞を用いない、（ａ）低エンドトキシンアルギン酸の１価金属塩を含有する癒着防止用組成物。
【請求項１８】
請求項１〜１３、１６および１７のいずれか１項に記載の組成物を製造するために用いられる、低エンドトキシンアルギン酸の１価金属塩を含有する製剤。
【請求項１９】
（ａ）低エンドトキシンアルギン酸の１価金属塩、（ｂ）カルボキシメチルセルロースまたはその薬学的に許容される塩、および硬化剤を含む癒着防止用キット。
【請求項２０】
（ｃ）細胞と組み合わせて用いられる、（ａ）低エンドトキシンアルギン酸の１価金属塩、（ｂ）カルボキシメチルセルロースまたはその薬学的に許容される塩、および硬化剤を含む癒着防止用キット。
【請求項２１】
（ａ）低エンドトキシンアルギン酸の１価金属塩、および（ｂ）硬化剤を含むカルボキシメチルセルロースまたはその薬学的に許容される塩を含む癒着防止用キット。
【請求項２２】
（ｃ）細胞と組み合わせて用いられる、（ａ）低エンドトキシンアルギン酸の１価金属塩、および（ｂ）硬化剤を含むカルボキシメチルセルロースまたはその薬学的に許容される塩を含む癒着防止用キット。
【発明の詳細な説明】
【技術分野】
【０００１】
本発明は、癒着防止用組成物に関する。
【背景技術】
【０００２】
癒着とは、互いに分離しているべき組織の表面が線維性の組織で連結または融合された状態のことをいう。癒着は、外傷や炎症に伴い組織の表面にフィブリンを含む滲出液が生じ、この滲出液が器質化して組織表面が連結または融合されることにより生じる。外科手術において組織の表面にできる外傷や、外傷により引き起こされる炎症、および外科手術において組織表面が乾燥することによる炎症は、癒着が生じる原因となっている。【０００３】
癒着は、時に、不妊、腸の通過障害、慢性骨盤痛の原因となり得る。また、外科手術後に生じた癒着を剥離するために、再度の外科手術が必要となることもある。これらのことから、癒着を防止する必要があり、癒着防止のためにこれまでに様々な手段が講じられている。【０００４】
癒着防止のためのそのような手段のいくつかは、外傷または炎症部位とその隣接組織の間に配置して組織の連結または融合を防止する物理的バリアを設けることである。そのような物理的バリアとしては、シート状のものおよびゲル状のものが知られている。【０００５】
シート状のものは、ポリテトラフルオロエチレン（ＰＴＦＥ）フィルム（Ｐｒｅｃｌｕｄｅ（商品名）（ＷＬ  Ｇｏｒｅ  ａｎｄ  Ａｓｓｏｃｉａｔｅｓ，Ｉｎｃ．））、ヒアルロン酸（ＨＡ）とカルボキシメチルセルロース（ＣＭＣ）を含有するシート（Ｓｅｐｒａｆｉｌｍ（商品名）（Ｇｅｎｚｙｍｅ  ＧｍｂＨ））、再生酸化セルロースシート（Ｉｎｔｒａｃｅｅｄ（商品名）（Ｊｏｈｎｓｏｎ＆Ｊｏｈｎｓｏｎ））などがある。このうちＰＴＦＥフィルムは、生分解性でないため、体内に残存するという問題がある。ＨＡととＣＭＣを含有するシートおよび再生酸化セルロースシートは、生分解性であるものの、肝切除後に生じる癒着のような重篤な癒着を完全に防止できず、癒着防止の効果の点で改善の余地があった。【０００６】
ゲル状のものは、鉄イオン架橋ヒアルロン酸ゲル（Ｉｎｔｅｒｇｅｌ（商品名）（Ｌｉｆｅｃｏｒｅ  Ｂｉｏｍｅｄｉｃａｌ，ＬＬＣ））などがある。しかしながら、鉄イオン架橋ヒアルロン酸ゲルは、主に腹腔内の鉄イオンの濃度上昇とハイドロゲルの長期残存により重篤な炎症を引き起こすことから、現在では、臨床において使用されていない。この他、アルギン酸、ＨＡ、ＣＭＣまたはこれらの混合物を含有するゲルを、癒着防止の物理的バリアとして用いることが提案されているものの（特許文献１および２、ならびに非特許文献１〜３）、これらのゲルについては、癒着防止効果を十分に発揮できる最適な物性は、明らかではなかった。【０００７】
このような物理的バリアの他に、外科手術中に組織を処置する前に、外科手術に関連する組織の表面を、生体適合性があり且つ薬理学上許容される水溶性のポリペプチド、多糖類、合成ポリマー、これらの塩および錯体、これらの混合物からなる群の中から選択される親水性ポリマー材料の水溶液で被覆して、乾燥に起因する組織の癒着を防止することが提案されている（特許文献３）。
【先行技術文献】
【特許文献】
【０００８】
【特許文献１】特許２７０２６４１号公報
【特許文献２】特表平７−５０４６８２号公報
【特許文献３】特公平６−７７６０１号公報
【非特許文献】
【０００９】
【非特許文献１】Ｔｈｅ  Ｊｏｕｒｎａｌ  ｏｆ  Ｍｉｎｉｍａｌｌｙ  Ｉｎｖａｓｉｖｅ  Ｇｙｎｅｃｏｌｏｇｙ（２０１２）  １９（６）：７３１
【非特許文献２】穂積卓朗ら、スタティックミキサーを用いた二液混合イオン架橋ハイドロゲル作製プロセスの検討  化学工学会秋季大会研究発表講演要旨集（２０１３）  第４５回
【非特許文献３】Ｊｏｕｒｎａｌ  ｏｆ  Ｍａｔｅｒｉａｌｓ  Ｓｃｉｅｎｃｅ：  Ｍａｔｅｒｉａｌｓ  ｉｎ  Ｍｅｄｉｃｉｎｅ（２０１２）  ２３：２３０３
【発明の概要】
【発明が解決しようとする課題】
【００１０】
このような状況の下、癒着防止効果の高い癒着防止用組成物が求められていた。
【課題を解決するための手段】
【００１１】
本発明者らは、鋭意検討を重ねた結果、（ａ）低エンドトキシンアルギン酸の１価金属塩、（ｂ）カルボキシメチルセルロースまたはその薬学的に許容される塩、および（ｃ）細胞を組合せて用いる癒着防止用組成物が癒着防止効果の高いものであることなどを見出し、本発明を完成するに至った。【００１２】
本発明は以下のとおりである。
［１］  （ａ）低エンドトキシンアルギン酸の１価金属塩、（ｂ）カルボキシメチルセルロースまたはその薬学的に許容される塩、および（ｃ）細胞を組合せて用いる癒着防止用組成物。
［２］  前記細胞が、間葉系幹細胞である、上記［１］に記載の組成物。
［３］  前記アルギン酸の１価金属塩のエンドトキシン含有量が、５００ＥＵ／ｇ以下である、上記［１］または［２］に記載の組成物。
［４］  前記アルギン酸の１価金属塩が、アルギン酸ナトリウムまたはアルギン酸カリウムである、上記［１］〜［３］のいずれか１項に記載の組成物。
［５］  前記組成物が、流動性を有する液体状である、上記［１］〜［４］のいずれか１項に記載の組成物。
［６］  前記組成物の粘度が、５ｍＰａ・ｓ〜１０００００ｍＰａ・ｓである、上記［５］に記載の組成物。
［７］  さらに、アルギン酸の１価金属塩の硬化剤を含有する、上記［１］〜［４］のいずれか１項に記載の組成物。
［８］  （ａ）低エンドトキシンアルギン酸の１価金属塩、および（ｂ）カルボキシメチルセルロースおよびその薬学的に許容される塩を組合せて用い、かつ（ｃ）細胞を用いない、癒着防止用組成物。
［９］  前記アルギン酸の１価金属塩のエンドトキシン含有量が、５００ＥＵ／ｇ以下である、上記［８］に記載の組成物。
［１０］  前記アルギン酸の１価金属塩が、アルギン酸ナトリウムまたはアルギン酸カリウムである、上記［８］または［９］に記載の組成物。
［１１］  前記組成物が、流動性を有する液体状；シート状、スポンジ状、粉体およびパウダー状からなる群から選択される固形物状；半固形状；またはゲル状である、上記［８］〜［１０］のいずれか１項に記載の組成物。
［１２］  前記組成物が、流動性を有する液体状であり、その粘度が、５ｍＰａ・ｓ〜１０００００ｍＰａ・ｓである、上記［１１］に記載の組成物。
［１３］  さらに、アルギン酸の１価金属塩の硬化剤を含有する、上記［８］〜［１１］のいずれか１項に記載の組成物。
［１４］  （ａ）低エンドトキシンアルギン酸の１価金属塩、（ｂ）カルボキシメチルセルロースまたはその薬学的に許容される塩、および（ｃ）細胞を組合せて用いる組成物を、癒着防止を必要とする対象に適用することを含む、癒着防止方法。
［１５］  （ａ）低エンドトキシンアルギン酸の１価金属塩、および（ｂ）カルボキシメチルセルロースまたはその薬学的に許容される塩から選択される増粘剤を組合せて用い、かつ（ｃ）細胞を用いない組成物を、癒着防止を必要とする対象に適用することを含む、癒着防止方法。
［１６］  （ｂ）カルボキシメチルセルロースまたはその薬学的に許容される塩、および（ｃ）細胞と組合せて用いられる、（ａ）低エンドトキシンアルギン酸の１価金属塩を含有する癒着防止用組成物。
［１７］  （ｂ）カルボキシメチルセルロースまたはその薬学的に許容される塩と組合せて用いられ、かつ（ｃ）細胞を用いない、（ａ）低エンドトキシンアルギン酸の１価金属塩を含有する癒着防止用組成物。
［１８］  上記［１］〜［１３］、[１６]および[１７]のいずれか１項に記載の組成物を製造するために用いられる、低エンドトキシンアルギン酸の１価金属塩を含有する製剤。
［１９］  （ａ）低エンドトキシンアルギン酸の１価金属塩、（ｂ）カルボキシメチルセルロースまたはその薬学的に許容される塩、および硬化剤を含む癒着防止用キット。
［２０］  （ｃ）細胞と組み合わせて用いられる、（ａ）低エンドトキシンアルギン酸の１価金属塩、（ｂ）カルボキシメチルセルロースまたはその薬学的に許容される塩、および硬化剤を含む癒着防止用キット。
［２１］  （ａ）低エンドトキシンアルギン酸の１価金属塩、および（ｂ）硬化剤を含むカルボキシメチルセルロースまたはその薬学的に許容される塩を含む癒着防止用キット。
［２２］  （ｃ）細胞と組み合わせて用いられる、（ａ）低エンドトキシンアルギン酸の１価金属塩、および（ｂ）硬化剤を含むカルボキシメチルセルロースまたはその薬学的に許容される塩を含む癒着防止用キット。
【発明の効果】
【００１３】
本発明によれば、癒着防止効果の高い癒着防止用組成物を提供することができる。
【図面の簡単な説明】
【００１４】
【図１】一部肝臓切除モデルでの各癒着グレードの個体割合を示す図である。
【図２】一部肝臓切除モデルでの平均癒着グレードを示す図である。
【図３】一部肝臓切除モデルでの体重増加率を示す図である。
【図４】一部肝臓切除モデルでの癒着形成の評価を示す図である。（Ａ）離断面グレード、（Ｂ）離断面Ｅｘｔｅｎｔ（ｍｍ）。
【図５】一部肝臓切除モデルでの癒着形成の評価を示す図である。（Ａ）非離断面グレード、（Ｂ）非離断面Ｅｘｔｅｎｔ（ｍｍ）。
【発明を実施するための形態】
【００１５】
以下、本発明を詳細に説明するが、以下の実施の形態は本発明を説明するための例示であり、本発明はその要旨を逸脱しない限りさまざまな形態で実施することができる。
【００１６】
１．癒着防止
「癒着」とは、互いに分離しているべき組織の表面が線維性の組織で連結または融合された状態のことをいう。癒着の原因は、外科手術において組織の表面にできる外傷や、外傷により引き起こされる炎症、外科手術において組織表面が乾燥することによる炎症などである。これらの外傷や炎症に伴い組織の表面にフィブリンを含む滲出液が生じ、この滲出液が器質化して組織表面が連結または融合されることにより癒着が形成される。
「癒着防止」とは、癒着の形成を減少させることをいう。癒着防止は、必ずしも癒着の形成を完全に防止することまでも必要とせず、本発明の組成物を適用しなかった場合の状態と比較して、癒着の形成が防止されていればよい。すなわち「癒着防止」は癒着の軽減と言い換えてもよく、例えば、癒着の頻度、範囲および程度から選ばれる少なくとも１つが軽減されていればよい。「癒着防止」は、例えば、実施例に記載した癒着のグレード評価を行った場合に、本発明の組成物を適用しなかった場合の平均癒着のグレードと比較して、平均癒着のグレードがより低くなっていればよい。あるいは、「癒着防止」は、例えば、実施例に記載した癒着のＥｘｔｅｎｔ評価を行った場合に、本発明の組成物を適用しなかった場合の平均癒着のＥｘｔｅｎｔと比較して、平均癒着のＥｘｔｅｎｔがより低くなっていればよい。「癒着防止」は、好ましくは、外科手術に起因して生じる癒着、より好ましくは、外科手術に起因して生じる腹膜癒着の防止である。すなわち、「癒着防止」は、好ましくは、術後の癒着防止である。
【００１７】
２．本発明の組成物
本発明は、癒着防止に好ましく用いられる組成物に関する。
本発明のある態様の組成物（以下、「本発明の組成物Ａ」という場合がある）は、（ａ）低エンドトキシンアルギン酸の１価金属塩（以下、「（ａ）成分」という場合がある）、（ｂ）カルボキシメチルセルロースまたはその薬学的に許容される塩（以下、「（ｂ）成分」という場合がある）、および（ｃ）細胞（本明細書中、「（ｃ）成分」という場合がある）を組合せて用いる癒着防止用組成物である。
本発明の別の態様の組成物（本明細書中、「本発明の組成物Ｂ」という場合がある）は、（ａ）低エンドトキシンアルギン酸の１価金属塩、および（ｂ）カルボキシメチルセルロースまたはその薬学的に許容される塩を組合せて用い、かつ（ｃ）細胞を用いない、癒着防止用組成物である。
本発明の別の態様の組成物（本明細書中、「本発明の組成物Ｃ」という場合がある）は、（ｂ）カルボキシメチルセルロースまたはその薬学的に許容される塩、および（ｃ）細胞と組合せて用いられる、（ａ）低エンドトキシンアルギン酸の１価金属塩を含有する癒着防止用組成物である。
本発明の別の態様の組成物（本明細書中、「本発明の組成物Ｄ」という場合がある）は、（ｂ）カルボキシメチルセルロースまたはその薬学的に許容される塩と組合せて用いられ、かつ（ｃ）細胞を用いない、（ａ）低エンドトキシンアルギン酸の１価金属塩を含有する癒着防止用組成物である。
尚、本発明の組成物Ａ、本発明の組成物Ｂ、本発明の組成物Ｃおよび本発明の組成物Ｄを合わせて、「本発明の組成物」という場合がある。
【００１８】
本発明は、本発明の組成物を、癒着防止を必要とする対象に適用することを含む、癒着防止方法にも関する。
【００１９】
より具体的には、本発明のある態様の方法は、（ａ）低エンドトキシンアルギン酸の１価金属塩、（ｂ）カルボキシメチルセルロースまたはその薬学的に許容される塩、および（ｃ）細胞を組合せて用いる組成物を、癒着防止を必要とする対象に適用することを含む、癒着防止方法である。
【００２０】
本発明の別の態様の方法は、（ａ）低エンドトキシンアルギン酸の１価金属塩、および（ｂ）カルボキシメチルセルロースまたはその薬学的に許容される塩から選択される増粘剤を組合せて用い、かつ（ｃ）細胞を用いない組成物を、癒着防止を必要とする対象に適用することを含む、癒着防止方法である。
また、本発明の別の態様は、（ｂ）カルボキシメチルセルロースまたはその薬学的に許容される塩、および（ｃ）細胞と組合せて、癒着防止に用いるための、（ａ）低エンドトキシンアルギン酸の１価金属塩である。
また、本発明の別の態様は、（ｃ）細胞を用いず、（ｂ）カルボキシメチルセルロースまたはその薬学的に許容される塩と組合せて、癒着防止に用いるための、（ａ）低エンドトキシンアルギン酸の１価金属塩である。
【００２１】
「組合せて用いる」とは、併用することである。(ａ)成分と（ｂ）成分と（ｃ）成分を組合せて用いる場合、組成物を対象に適用する際に、(ａ)成分と（ｂ）成分と（ｃ）成分が組成物に含まれていればよいことを意味する。(ａ)成分と（ｂ）成分とを組合せて用い、かつ（ｃ）成分を用いない場合、組成物を対象に適用する際に、(ａ)成分と（ｂ）成分が組成物に含まれ、かつ（ｃ）成分が組成物に含まれていなければよいことを意味する。したがって、「組合せて用いる」という用語は、販売を含む流通段階における形態を特に問うものではない。なお、（ｂ）成分は、さらに硬化剤を含んでいてもよく、また、（ａ）成分、（ｂ）成分、（ｃ）成分とは別に、硬化剤を組み合わせて用いてもよい。
【００２２】
例えば(ａ)成分と（ｂ）成分と（ｃ）成分を組合せて用いる場合、（１）(ａ)成分と（ｂ）成分と（ｃ）成分があらかじめ組み合わされた形態、（２）(ａ)成分と（ｂ）成分があらかじめ組み合わされた形態と（ｃ）成分を組合せてキットとし、または組合せないで別々に用意し、適用する際に混合して使用する形態、（３）(ａ)成分と（ｂ）成分を別々に用意して得られる２種類の組成物と（ｃ）成分を組合せてキットとし、または組合せないで別々に用意し、適用する際に組み合わせて使用する形態のいずれでもよい。すなわち、（ｂ）成分は、(ａ)成分と予め配合した組成物の形態で提供してもよく、(ａ)成分と（ｂ）成分とを別々に用意して得られる２種類の組成物を組合せてパッケージ化したキットとして提供してもよい。これらの各形態についても、（ｂ）成分は、さらに硬化剤を含んでいてもよく、また、（ａ）成分、（ｂ）成分、（ｃ）成分とは別に、硬化剤を組み合わせて用いてもよい。以下の例示についても同様である。
【００２３】
例えば(ａ)成分と（ｂ）成分とを組合せて用い、かつ（ｃ）成分を用いない場合、（１）(ａ)成分と（ｂ）成分があらかじめ組み合わされた形態、（２）(ａ)成分と（ｂ）成分を別々に用意して得られる２種類の組成物を組合せてキットとし、または組合せないで別々に用意し、適用する際に組み合わせて使用する形態のいずれでもよい。すなわち、（ｂ）成分は、(ａ)成分と予め配合した組成物の形態で提供してもよく、(ａ)成分と（ｂ）成分とを別々に用意して得られる２種類の組成物を組合せてパッケージ化したキットとして提供してもよい。
【００２４】
(ａ)成分と（ｂ）成分は、それぞれが、または混合物が、溶媒を用いて溶液状態で提供されてもよいし、凍結乾燥体（特には、凍結乾燥粉体）などの固形物として提供されてもよい。固形物として提供される場合、本発明の組成物は、投与時には溶媒を用いて、溶液状、ゲル状などの流動性を有する状態で使用されてもよい。
本発明のいくつかの態様の組成物では、(ａ)成分と（ｂ）成分は、それぞれが、または混合物が、シート状、スポンジ状、粉体またはパウダー状からなる群から選択される固形物状；半固形状；またはゲル状で使用されてもよい。
【００２５】
溶媒は、生体へ適用可能な溶媒であれば特に限定されないが、例えば、注射用水、精製水、蒸留水、イオン交換水（または脱イオン化水）、ミリＱ水、生理食塩水、リン酸緩衝生理食塩水（ＰＢＳ）などが挙げられる。好ましくは、ヒトおよび動物の治療に用いることが可能な注射用水、蒸留水、生理食塩水などである。
【００２６】
本発明の好ましい態様の組成物では、当該組成物中でのアルギン酸の１価金属塩の含有量は０．１ｗｔ％〜１０ｗｔ％程度であり、カルボキシメチルセルロースまたはその薬学的に許容される塩の含有量は０．１ｗｔ％〜１０ｗｔ％程度である。より好ましくは、当該組成物中でのアルギン酸の１価金属塩の含有量は１ｗｔ％〜５ｗｔ％程度、カルボキシメチルセルロースまたはその薬学的に許容される塩の含有量は１ｗｔ％〜５ｗｔ％程度である。本発明の別のいくつかの態様の組成物では、当該組成物中でのアルギン酸の１価金属塩の含有量は０．１ｗｔ％〜９９．９ｗｔ％程度であり、カルボキシメチルセルロースまたはその薬学的に許容される塩の含有量は０．１ｗｔ％〜９９．９ｗｔ％程度である。より好ましくは、当該組成物中でのアルギン酸の１価金属塩の含有量は１ｗｔ％〜９９ｗｔ％程度、カルボキシメチルセルロースまたはその薬学的に許容される塩の含有量は１ｗｔ％〜９９ｗｔ％程度である。
【００２７】
「対象」は、ヒトまたは非ヒト温血動物、例えばトリ、およびウシ、サル、ネコ、マウス、ラット、モルモット、ハムスター、ブタ、イヌ、ウサギ、ヒツジ、ウマなどの非ヒト哺乳動物である。
【００２８】
本発明の組成物を対象に適用する方法は、特に限定されないが、例えば、シリンジ、ゲル用ピペット、専用充填器などで外科手術に関連した組織の表面に直接注入するようにしてよい。「外科手術に関連した組織」とは、外科手術において表面に外傷を負った組織や、外科手術において表面が乾燥することにより炎症が生じたまたは炎症が生じる恐れのある組織である。本発明のいくつかの態様の組成物の場合、外科手術に関連した組織は、腹膜に包まれている臓器、例えば、胃、空腸、回腸、虫垂、結腸、肝臓、脾臓、十二指腸、および膵臓である。本発明の特に好ましい組成物は、肝切除後に生じる癒着のような重篤な癒着を効果的に防止することができる。
【００２９】
本発明の組成物の形態は、例えば、流動性のある液体状（すなわち、溶液状）；シート状、スポンジ状、粉体（特に、凍結乾燥粉体）またはパウダー状などの固形物状；半固形状；またはゲル状である。本発明において「流動性を有する」とは、その形態を不定形に変化させる性質を持つことを意味する。例えば、組成物をシリンジなどに封入し、外科手術に関連した組織の表面へ注入することができるような流動性を有することが望ましい。ゲル状または溶液状である本発明の組成物は、シリンジ、ゲル用ピペット、専用注射器などで組織の表面に容易に適用することができる。粉体およびパウダー状の組成物は、噴霧装置などで組織の表面に適用することもできる。また、シート状、スポンジ状、紛体、パウダー状、ゲル状、および流動性のある液体状の組成物は、いずれの表面形状にも適合し、本発明の組成物を適用する組織の表面全体に接触することもできる。シート状とは適した厚さ、柔軟性を有する平板の状態であり、スポンジ状は多孔性を有した状態に加工したものを示す。また、組成物を溶液にしたものを凍結または硬化剤により半固形状態にすることもできる。さらにゲル状は組成物を硬化剤（架橋剤）となる多価陽イオンや架橋性試薬で共有結合させることにより作製することができる。
【００３０】
３．アルギン酸の１価金属塩
「アルギン酸の１価金属塩」は、アルギン酸の６位のカルボン酸の水素原子を、Ｎａ＋やＫ＋などの１価金属イオンとイオン交換することでつくられる水溶性の塩である。アルギン酸の１価金属塩としては、具体的には、アルギン酸ナトリウム、アルギン酸カリウムなどを挙げることができるが、特には、市販品により入手可能なアルギン酸ナトリウムが好ましい。アルギン酸の１価金属塩の溶液は、架橋剤と混合したときにゲルを形成する。
【００３１】
本発明に用いる「アルギン酸」は、生分解性の高分子多糖類であって、Ｄ−マンヌロン酸（Ｍ）とＬ−グルロン酸（Ｇ）という２種類のウロン酸が直鎖状に重合したポリマーである。より具体的には、Ｄ−マンヌロン酸のホモポリマー画分（ＭＭ画分）、Ｌ−グルロン酸のホモポリマー画分（ＧＧ画分）、およびＤ−マンヌロン酸とＬ−グルロン酸がランダムに配列した画分（ＭＧ画分）が任意に結合したブロック共重合体である。アルギン酸のＤ−マンヌロン酸とＬ−グルロン酸の構成比（Ｍ／Ｇ比）は、主に海藻等の由来となる生物の種類によって異なり、また、その生物の生育場所や季節による影響を受け、Ｍ／Ｇ比が約０．４の高Ｇ型からＭ／Ｇ比が約５の高Ｍ型まで高範囲にわたる。
【００３２】
アルギン酸の１価金属塩は高分子多糖類であり、分子量を正確に定めることは困難であるが、一般的に重量平均分子量で１０００〜１０００万、好ましくは１万〜１０００万、より好ましくは２万〜３００万の範囲である。例えば、ゲル浸透クロマトグラフィー（ＧＰＣ）法により測定した重量平均分子量の好ましい範囲として、３０万〜２００万が挙げられる。また、例えば、ＧＰＣ−ＭＡＬＳ法により測定した重量平均分子量の好ましい範囲として、１０００〜３０万、より好ましい範囲として５万〜３０万が挙げられる。
【００３３】
通常、高分子多糖類の分子量をゲルろ過クロマトグラフィーにより算出する場合、１０〜２０％以上の測定誤差を生じうる。例えば、４０万であれば３２〜４８万、５０万であれば４０〜６０万、１００万であれば８０〜１２０万程度の範囲で値の変動が生じうる。したがって、アルギン酸の１価金属塩について、好適な重量平均分子量範囲は、少なくとも２万以上、より好ましくは５万以上、さらに好ましくは１０万以上である。分子量が高すぎるものは製造が困難であるとともに、水溶液とする際に粘度が高くなりすぎる、溶解性が低下する、長期間の保存で物性を維持しにくいなどの問題を生じるため、重量平均分子量が５００万以下であることが好ましく、より好ましくは３００万以下である。
【００３４】
一般に天然物由来の高分子物質は、単一の分子量を持つのではなく、種々の分子量を持つ分子の集合体であるため、ある一定の幅を持った分子量分布として測定される。代表的な測定手法はゲルろ過クロマトグラフィーである。ゲルろ過クロマトグラフィーにより得られる分子量分布の代表的な情報としては、重量平均分子量（Ｍｗ）、数平均分子量（Ｍｎ）、分散比（Ｍｗ／Ｍｎ）が挙げられる。
【００３５】
分子量の大きい高分子の平均分子量への寄与を重視したのが重量平均分子量であり、下記式で表される。
Ｍｗ＝Σ（ＷｉＭｉ）／Ｗ＝Σ（ＨｉＭｉ）／Σ（Ｈｉ）
数平均分子量は、高分子の総重量を高分子の総数で除して算出される。
Ｍｎ＝Ｗ／ΣＮｉ＝Σ（ＭｉＮｉ）／ΣＮｉ＝Σ（Ｈｉ）／Σ（Ｈｉ／Ｍｉ）
ここで、Ｗは高分子の総重量、Ｗｉはｉ番目の高分子の重量、Ｍｉはｉ番目の溶出時間における分子量、Ｎｉは分子量Ｍｉの個数、Ｈｉはｉ番目の溶出時間における高さである。
【００３６】
天然物由来の高分子物質の分子量測定では、測定方法により値に違いが生じうることが知られている（ヒアルロン酸の例：Ｃｈｉｋａｋｏ  ＹＯＭＯＴＡ  ｅｔ．ａｌ．，Ｂｕｌｌ．Ｎａｔｌ．Ｈｅａｌｔｈ  Ｓｃｉ．，Ｖｏｌ．１１７，ｐｐ１３５−１３９（１９９９）、Ｃｈｉｋａｋｏ  ＹＯＭＯＴＡ  ｅｔ．ａｌ．，Ｂｕｌｌ．Ｎａｔｌ．Ｉｎｓｔ．Ｈｅａｌｔｈ  Ｓｃｉ．，Ｖｏｌ．１２１，ｐｐ３０−３３（２００３））。アルギン酸塩の分子量測定については、固有粘度（Ｉｎｔｒｉｎｓｉｃ  ｖｉｓｃｏｓｉｔｙ）から算出する方法、ＳＥＣ−ＭＡＬＬＳ（Ｓｉｚｅ  Ｅｘｃｌｕｓｉｏｎ  Ｃｈｒｏｍａｔｏｇｒａｐｈｙ  ｗｉｔｈ  Ｍｕｌｔｉｐｌｅ  Ａｎｇｌｅ  Ｌａｓｅｒ  Ｌｉｇｈｔ  Ｓｃａｔｔｅｒｉｎｇ  Ｄｅｔｅｃｔｉｏｎ）により算出する方法が記載された文献がある（ＡＳＴＭ  Ｆ２０６４−００  （２００６），ＡＳＴＭ  Ｉｎｔｅｒｎａｔｉｏｎａｌ発行）。なお、当該文献では、サイズ排除クロマトグラフィー（＝ゲルろ過クロマトグラフィー）により分子量を測定するにあたっては、プルランを標準物質として用いた較正曲線に加え多角度光散乱検出器（Ｍｕｌｔｉ  Ａｎｇｌｅ  Ｌｉｇｈｔ  Ｓｃａｔｔｅｒｉｎｇ：ＭＡＬＳ）を併用すること（＝ＳＥＣ−ＭＡＬＳによる測定）を推奨している。また、ＳＥＣ−ＭＡＬＳによる分子量を、アルギン酸塩のカタログ上の規格値として用いている例もある（ＦＭＣ  Ｂｉｏｐｏｌｙｍｅｒ社、ＰＲＯＮＯＶＡＴＭ  ｓｏｄｉｕｍ  ａｌｇｉｎａｔｅｓ  ｃａｔａｌｏｇｕｅ）。
【００３７】
本明細書中においてアルギン酸塩の分子量を特定する場合は、特段のことわりがない限り、ゲルろ過クロマトグラフィーにより算出される重量平均分子量である。
【００３８】
ゲルろ過クロマトグラフィーの代表的な条件としては、プルランを標準物質とした較正曲線を用いることが挙げられる。標準物質として用いるプルランの分子量としては、少なくとも１６０万、７８．８万、４０．４万、２１．２万および１１．２万のものを標準物質として用いることが好ましい。その他、溶離液（２００ｍＭ硝酸ナトリウム溶液）、カラム条件などを特定できる。カラム条件としては、ポリメタクリレート樹脂系充填剤を用い、排除限界分子量１０００万以上のカラムを少なくとも１本ないし３本用いることが好ましい。代表的なカラムは、ＴＳＫｇｅｌ  ＧＭＰＷｘ１（直径７．８ｍｍ×３００ｍｍ）およびＧ２５００ＰＷXL(直径７．８ｍｍ×３００ｍｍ）（東ソー株式会社製）である。
【００３９】
アルギン酸の１価金属塩は、褐藻類から抽出された当初は、分子量が大きく、粘度が高めだが、熱による乾燥、凍結乾燥、精製などの過程で、分子量が小さくなり、粘度は低めとなる。したがって、製造の各工程において適切な温度管理をすることにより、分子量の異なるアルギン酸の１価金属塩を製造することができる。製造の各工程における温度が低めとなるよう管理することで分子量の大きいアルギン酸の１価金属塩が得られ、温度が高くなるほど分子量の小さいアルギン酸の１価金属塩が得られる。また、原料とする褐藻類を適宜選択する、あるいは、製造工程において、分子量による分画を行う、などの手法によっても、分子量の異なるアルギン酸の１価金属塩を製造することができる。さらに、各手法で製造したアルギン酸の１価金属塩について、分子量あるいは粘度を測定した後、異なる分子量あるいは粘度を持つ別ロットのアルギン酸の１価金属塩と混合することにより、目的とする分子量を有するアルギン酸の１価金属塩とすることも可能である。
【００４０】
本発明に用いるアルギン酸は、天然由来でも合成物であってもよいが、天然由来であるのが好ましい。天然由来のアルギン酸としては、例えば、褐藻類から抽出されるものを挙げることができる。アルギン酸を含有する褐藻類は世界中の沿岸域に繁茂しているが、実際にアルギン酸原料として使用できる海藻は限られており、南米のレッソニア、北米のマクロシスティス、欧州のラミナリアやアスコフィラム、豪のダービリアなどが代表的なものである。アルギン酸の原料となる褐藻類としては、例えば、レッソニア（Ｌｅｓｓｏｎｉａ）属、マクロシスティス（Ｍａｃｒｏｃｙｓｔｉｓ）属、ラミナリア（Ｌａｍｉｎａｒｉａ）属（コンブ属）、アスコフィラム（Ａｓｃｏｐｈｙｌｌｕｍ）属、ダービリア（Ｄｕｒｖｉｌｌｅａ）属、アラメ（Ｅｉｓｅｎｉａ）属、カジメ（Ｅｃｋｌｏｎｉａ）属などがあげられる。
【００４１】
４．カルボキシメチルセルロースまたはその薬学的に許容される塩
本発明で用いるｂ）成分は、カルボキシメチルセルロースまたはその薬学的に許容される塩である。
【００４２】
本発明に用いられるカルボキシメチルセルロースまたはその薬学的に許容される塩は、特に限定されるものではないが、重量平均分子量で、１万〜１５０万であるものを用いるのが好ましい。このようなカルボキシメチルセルロースまたはその薬学的に許容される塩の重量平均分子量の測定方法については、前記アルギン酸の１価金属塩の重量平均分子量と同様の測定方法を利用することができる。このようなカルボキシメチルセルロースまたはその薬学的に許容される塩は、各種公知の方法を用いて製造することができ、あるいは市販のものを購入して（例えば、Ｓｉｇｍａ−Ａｌｄｒｉｃｈ、第一工業製薬株式会社、ダイセルファインケム株式会社、ニチリン化学工業株式会社、および日本製紙株式会社から）入手することも可能である。
カルボキシメチルセルロースの薬学的に許容される塩としては、ナトリウム塩、カリウム塩、リチウム塩等のアルカリ金属塩、カルシウム塩等のアルカリ土類金属塩を挙げることができる。この中で、特に好ましい塩は、ナトリウム塩である。
【００４３】
５．細胞
本発明の組成物Ａは、成分（ｃ）、すなわち細胞を用いる。一方、本発明の組成物Ｂは、成分（ｃ）、すなわち細胞を用いない。
【００４４】
細胞としては、例えば、幹細胞、間質細胞などが挙げられ、由来は特に限定されないが、骨髄、脂肪組織、臍帯血などを挙げることができる。また、細胞として、ＥＳ細胞およびｉＰＳ細胞を挙げることもできる。細胞として、好ましくは、間葉系幹細胞および間葉系間質細胞を挙げることができ、より好ましくは、骨髄間葉系幹細胞および骨髄間葉系間質細胞を挙げることができる。
【００４５】
「細胞を用いる」とは、骨髄、脂肪組織、臍帯血などから目的とする細胞を回収し濃縮する処理や、培養して量を増やす処理を行い、調製した細胞を本発明の組成物に添加することを言う。具体的には、例えば、１×１０４個／ｍｌ以上、または１×１０５個／ｍｌ以上、好ましくは、１×１０４個／ｍｌ〜１×１０７個／ｍｌの細胞を本発明の組成物に含有させることを言う。
【００４６】
本発明の組成物は、細胞の成長を促進する因子を含ませることもできる。そのような因子としては、例えば、ＢＭＰ、ＦＧＦ、ＶＥＧＦ、ＨＧＦ、ＴＧＦ−β、ＩＧＦ−１，ＰＤＧＦ，ＣＤＭＰ，ＣＳＦ，ＥＰＯ、ＩＬおよびＩＦ等が挙げられる。これらの因子は、組み換え法により製造してもよく、あるいは蛋白組成物から精製してもよい。尚、本発明のいくつかの態様の組成物は、これらの成長因子を含まない。
【００４７】
６．硬化剤 
本発明のいくつかの態様の組成物は、アルギン酸の１価金属塩の硬化剤を含有しない。硬化剤を含有しない組成物の形態は、例えば、流動性を有する液体状、凍結乾燥体（特に、凍結乾燥粉体）などの固形物である。本発明の別のいくつかの態様の組成物は、アルギン酸の１価金属塩の硬化剤を含有する。硬化剤を含有する組成物の形態は、例えば、凍結乾燥体（特に、凍結乾燥粉体）、シート状、スポンジ状などの固形物；またはゲル状である。
硬化剤は、アルギン酸の１価金属塩の溶液を架橋することにより、固定化するものである。硬化剤は、例えば、Ｃａ２＋、Ｍｇ２＋、Ｂａ２＋、Ｓｒ２＋などの２価以上の金属イオン化合物、分子内に２〜４個のアミノ基を有する架橋性試薬などが挙げられる。より具体的には、２価以上の金属イオン化合物として、ＣａＣｌ２、ＭｇＣｌ２、ＣａＳＯ４、ＢａＣｌ２、ＳｒＣｌ２等（好ましくは、ＣａＣｌ２、ＣａＳＯ４、ＢａＣｌ２等）を、分子内に２〜４個のアミノ基を有する架橋性試薬として、窒素原子上にリジル（ｌｙｓｙｌ）基（−ＣＯＣＨ（ＮＨ２）−（ＣＨ２）４−ＮＨ２）を有することもあるジアミノアルカン、すなわちジアミノアルカンおよびそのアミノ基がリジル基で置換されてリジルアミノ基を形成している誘導体が包含され、具体的にはジアミノエタン、ジアミノプロパン、Ｎ−（リジル）−ジアミノエタン等を挙げることができる。
硬化剤を含有する場合、硬化剤の含有量は、本発明の組成物の粘度に応じて適宜調節するのが望ましい。本発明の組成物における、硬化剤の含有量は、例えば、０．１ｗｔ％〜１０ｗｔ％、好ましくは、１ｗｔ％〜３ｗｔ％である。
【００４８】
７．低エンドトキシン処理
本発明で用いるアルギン酸の１価金属塩は、低エンドトキシンアルギン酸の１価金属塩である。本発明で用いるカルボキシメチルセルロースまたはその薬学的に許容される塩も、低エンドトキシンカルボキシメチルセルロースまたはその薬学的に許容される塩であるのが好ましい。低エンドトキシンとは、実質的に炎症、または発熱を惹起しない程度にまでエンドトキシンレベルを低下させたものである。すなわち、低エンドトキシン処理に供されたものである。
【００４９】
低エンドトキシン処理は、公知の方法またはそれに準じる方法によって行うことができる。例えば、ヒアルロン酸ナトリウムを精製する、菅らの方法（例えば、特開平９−３２４００１号公報など参照）、β１，３−グルカンを精製する、吉田らの方法（例えば、特開平８−２６９１０２号公報など参照）、アルギネート、ゲランガム等の生体高分子塩を精製する、ウィリアムらの方法（例えば、特表２００２−５３０４４０号公報など参照）、ポリサッカライドを精製する、ジェームスらの方法（例えば、国際公開第９３／１３１３６号パンフレットなど参照）、ルイスらの方法（例えば、米国特許第５５８９５９１号明細書など参照）、アルギネートを精製する、ハーマンフランクらの方法（例えば、Ａｐｐｌ  Ｍｉｃｒｏｂｉｏｌ  Ｂｉｏｔｅｃｈｎｏｌ  （１９９４）４０：６３８−６４３など参照）等またはこれらに準じる方法によって実施することができる。本発明の低エンドトキシン処理は、それらに限らず、洗浄、フィルター（エンドトキシン除去フィルターや帯電したフィルターなど）によるろ過、限外ろ過、カラム（エンドトキシン吸着アフィニティーカラム、ゲルろ過カラム、イオン交換樹脂によるカラムなど）を用いた精製、疎水性物質、樹脂または活性炭などへの吸着、有機溶媒処理（有機溶媒による抽出、有機溶剤添加による析出・沈降など）、界面活性剤処理（例えば、特開２００５−０３６０３６号公報など参照）など公知の方法によって、あるいはこれらを適宜組合せて実施することができる。これらの処理の工程に、遠心分離など公知の方法を適宜組み合わせてもよい。アルギン酸の種類、カルボキシメチルセルロースまたはその薬学的に許容される塩の種類などに合わせて適宜選択するのが望ましい。
【００５０】
エンドトキシンレベルは、公知の方法で確認することができ、例えば、リムルス試薬（ＬＡＬ）による方法、エントスペシー（登録商標）ＥＳ−２４Ｓセット（生化学工業株式会社）を用いる方法などによって測定することができる。
【００５１】
本発明の組成物に含有されるアルギン酸の１価金属塩のエンドトキシンの処理方法は特に限定されないが、その結果として、アルギン酸の１価金属塩のエンドトキシン含有量が、リムルス試薬（ＬＡＬ）によるエンドトキシン測定を行った場合に、５００エンドトキシン単位（ＥＵ）／ｇ以下であることが好ましく、さらに好ましくは、１００ＥＵ／ｇ以下、とりわけ好ましくは５０ＥＵ／ｇ以下、特には３０ＥＵ／ｇ以下である。低エンドトキシン処理されたアルギン酸ナトリウムは、例えば、Ｓｅａ  Ｍａｔｒｉｘ（滅菌）（（株）キミカ−（株）持田インターナショナル）、ＰＲＯＮＯＶＡＴＭＵＰ  ＬＶＧ（ＦＭＣ）など市販品により入手可能である。
【００５２】
また、本発明の組成物に含有されるカルボキシメチルセルロースまたはその薬学的に許容される塩のエンドトキシン含有量も限定されないが、その結果として、カルボキシメチルセルロースまたはその薬学的に許容される塩のエンドトキシン含有量が、リムルス試薬（ＬＡＬ）によるエンドトキシン測定を行った場合に、５００エンドトキシン単位（ＥＵ）／ｇ以下であることが好ましく、さらに好ましくは、１００ＥＵ／ｇ以下、とりわけ好ましくは５０ＥＵ／ｇ以下、特には３０ＥＵ／ｇ以下である。このようなカルボキシメチルセルロースまたはその薬学的に許容される塩は、上記エンドトキシン処理に供することにより入手することができる。
【００５３】
８．本発明の組成物の粘度
本発明のいくつかの態様の組成物は、流動性のある液体状、すなわち、溶液状である。この態様の本発明の組成物の粘度は、本発明の効果が得られれば、特に限定されないが、例えば、５ｍＰａ・ｓ〜１０００００ｍＰａ・ｓ、好ましくは、１０ｍＰａ・ｓ〜２００００ｍＰａ・ｓである。本発明のいくつかの態様の組成物は、シリンジ等で対象に適用することもできる粘度である。
【００５４】
本発明の組成物の粘度は、付着性の観点から１０ｍＰａ・ｓ程度以上、組成物の取り扱いやすさの観点から、２００００ｍＰａ・ｓ程度以下であることが好ましく、より好ましくは、２０００ｍＰａ・ｓ〜１００００ｍＰａ・ｓ、１０００ｍＰａ・ｓ〜５０００ｍＰａ・ｓ、または１０ｍＰａ・ｓ〜１００００ｍＰａ・ｓである。
【００５５】
本発明の組成物の粘度は、例えば、アルギン酸濃度、アルギン酸の分子量、アルギン酸のＭ／Ｇ比、カルボキシメチルセルロースまたはその薬学的に許容される塩の濃度、カルボキシメチルセルロースまたはその薬学的に許容される塩の分子量、アルギン酸の１価金属塩とカルボキシメチルセルロースまたはその薬学的に許容される塩との混合比等を制御することにより調整することができる。
【００５６】
アルギン酸の１価金属塩の溶液の粘度は、溶液中のアルギン酸濃度が高い場合に高く、溶液中のアルギン酸濃度が低い場合に低くなる。またアルギン酸の分子量が大きい場合に高く、小さい場合に低くなる。例として、分子量約２０〜５０万Ｄａのアルギン酸を用いて、１０ｍＰａ・ｓ〜２００００ｍＰａ・ｓの粘度を得るには、約１％ｗ／ｖ〜３％ｗ／ｖのアルギン酸水溶液とすればよい。より分子量が小さいアルギン酸を用いる場合は、これよりアルギン酸の濃度を高める必要がある。アルギン酸水溶液の粘度は、例えば、回転粘度測定器（コーンプレートタイプ）（ＴＶＥ−２０ＬＴ，ＴＯＫＩ  ＳＡＮＧＹＯ  ＣＯ．，ＬＴＤ．ＪＡＰＡＮ）などを用いて、公知の方法で測定することができる。公知の方法は、例えば、第１６改正日本薬局方  一般試験法粘度測定法（円すい−平板形回転粘度計）である。
【００５７】
アルギン酸の１価金属塩の溶液の粘度は、Ｍ／Ｇ比によって影響を受けるため、例えば、溶液の粘度等により好ましいＭ／Ｇ比を有するアルギン酸を適宜選択することができる。本発明に用いるアルギン酸のＭ／Ｇ比は、約０．４〜４．０であり、好ましくは約０．８〜３．０、より好ましくは約１．０〜１．６である。
【００５８】
前述のように、Ｍ／Ｇ比が主に海藻の種類によって決まることなどから、原料として用いられる褐藻類の種類はアルギン酸の１価金属塩の溶液の粘度に影響を及ぼす。本発明で用いられるアルギン酸としては、好ましくは、レッソニア属、マクロシスティス属、ラミナリア属、アスコフィラム属、ダービリア属の褐藻由来であり、より好ましくはレッソニア属の褐藻由来であり、特に好ましくはレッソニア・ニグレッセンズ（Ｌｅｓｓｏｎｉａ  ｎｉｇｒｅｓｃｅｎｓ）由来である。
【００５９】
カルボキシメチルセルロースまたはその薬学的に許容される塩の溶液の粘度は、溶液中のカルボキシメチルセルロース濃度が高い場合に高く、溶液中のカルボキシメチルセルロース濃度が低い場合に低くなる。またカルボキシメチルセルロースの分子量が大きい場合に高く、小さい場合に低くなる。例として、分子量約１０万Ｄａのカルボキシメチルセルロースナトリウムを用いて、４００ｍＰａ・ｓ〜２００００ｍＰａ・ｓの粘度を得るには、約１％ｗ／ｖ〜２％ｗ／ｖのカルボキシメチルセルロース水溶液とすればよい。より分子量が小さいカルボキシメチルセルロースを用いる場合は、これよりカルボキシメチルセルロースの濃度を高める必要がある。カルボキシメチルセルロース水溶液の粘度は、例えば、回転粘度測定器（コーンプレートタイプ）（ＴＶＥ−２０ＬＴ，ＴＯＫＩ  ＳＡＮＧＹＯ  ＣＯ．，ＬＴＤ．ＪＡＰＡＮ）などを用いて、公知の方法で測定することができる。公知の方法は、例えば、第１６改正日本薬局方  一般試験法粘度測定法（円すい−平板形回転粘度計）である。
【００６０】
アルギン酸の１価金属塩とカルボキシメチルセルロースまたはその薬学的に許容される塩とを混合して得られる組成物の粘度は、混合前の各溶液の粘度が同じであれば、混合前とほぼ同じになる。混合前の一方の溶液の粘度が高い場合には、これに、低い粘度の他方の溶液を混合することで、得られる組成物の粘度を下げることができる。混合前の一方の粘度の溶液が低い場合には、これに、高い粘度の他方の溶液を混合することで、得られる組成物の粘度を上げることができる。このようにして、５ｍＰａ・ｓ〜１０００００ｍＰａ・ｓの粘度を得ることができる。
【００６１】
９．混合方法
本発明の組成物において、(ａ)成分と（ｂ）成分の混合方法は、(ａ)成分と（ｂ）成分が均一に混合可能である限り特に限定されない。混合方法としては、例えば、スタティックミキサーを使用する方法、ダブルシリンジを使用する方法などが、挙げられる。
【００６２】
スタティックミキサーは、駆動部のない静的混合装置のことを言う。より具体的には、スタティックミキサーは、通常、管と管内に固定された駆動部の無いミキシング・エレメントからなり、これにより、流れを分割し、かつ流れ方向を転換または反転させ、流れを縦方向、横方向に分割、転換および反転を繰り返すことにより流体を混合する混合装置のことである。スタティックミキサーの種類によっては、管外周部に熱交換の為のジャケットが備えられているものもあり、またミキシング・エレメント自体に熱媒体を通す熱交換の為のチューブが備えられているものもある。スタティックミキサーについての詳細は、例えば、Ｔｈａｋｕｒ  ｅｔ  ａｌ．，（２００３）Ｔｒａｎｓ  ＩＣｈｅｍＥ，  ８１，  Ｐａｒｔ  Ａ：７８７−８２６に記載されており、これを参照することができる。
スタティックミキサーとしては、公知のものを使用することができる、公知のスタティックミキサーとしては、例えば、ケニックス型（例えば、ノードソン社製、およびノリタケ社製）；Ｋｅｎｉｃｓ（Ｃｈｅｍｉｎｅｅｒ  Ｉｎｃ．）；ｌｏｗ  ｐｒｅｓｓｕｒｅ  ｄｒｏｐ（Ｒｏｓｓ  Ｅｎｇｉｎｅｅｒｉｎｇ  Ｉｎｃ．）；ＳＭＶ（Ｋｏｃｈ−Ｇｌｉｔｓｃｈ  Ｉｎｃ．）；ＳＭＸ（Ｋｏｃｈ−Ｇｌｉｔｓｃｈ  Ｉｎｃ．）；ＳＭＸＬ（Ｋｏｃｈ−Ｇｌｉｔｓｃｈ  Ｉｎｃ．）；Ｉｎｔｅｒｆａｃｉａｌ  Ｓｕｒｆａｃｅ  Ｇｅｎｅｒａｔｏｒ−ＩＳＧ（Ｒｏｓｓ  Ｅｎｇｉｎｅｅｒｉｎｇ  Ｉｎｃ．）；ＨＥＶ（Ｃｈｅｍｉｎｅｅｒ  Ｉｎｃ．）；Ｉｎｌｉｎｅｒ  ｓｅｒｉｅｓ  ５０（Ｌｉｇｈｔｎｉｎ  Ｉｎｃ．）；Ｉｎｌｉｎｅｒ  ｓｅｒｉｅｓ  ４５（Ｌｉｇｈｔｎｉｎ  Ｉｎｃ．）；Ｃｕｓｔｏｄｙ  ｔｒａｎｓｆｅｒ  ｍｉｘｅｒ（Ｋｏｍａｘ  ｓｙｓｔｅｍｓ  Ｉｎｃ．）；およびＳＭＲ（Ｋｏｃｈ−Ｇｌｉｔｓｃｈ，Ｉｎｃ．）が挙げられる。
【００６３】
ダブルシリンジは、混合する成分を別々に充填するための容器を有し、成分がダブルシリンジから放出されるとき、均一に混ぜ合わされて放出される装置である。
ダブルシリンジとしては、公知のものを使用することができる。公知のダブルシリンジとしては、例えば、バクスター社製のものが挙げられる。
あるいは、スタティックミキサーおよびダブルシリンンジは、本発明の組成物を混合するために作製された特注品であってもよい。
【００６４】
１０．併用薬
本発明の組成物を外科手術に関連した組織に適用する前に、あるいは同時に、あるいは後で、ストレプトマイシン、ペニシリン、トブラマイシン、アミカシン、ゲンタマイシン、ネオマイシン、およびアンホテリシンＢ等の抗生物質、アスピリン、非ステロイド性解熱鎮痛剤（ＮＳＡＩＤｓ）、アセトアミノフェン等の抗炎症薬等の併用薬を投与するようにしてもよい。これらの薬剤は本発明の組成物に混入して用いてもよい。
【００６５】
なお、本明細書において引用した全ての刊行物、例えば、先行技術文献および公開公報、特許公報その他の特許文献は、その全体が本明細書において参照として組み込まれる。また、本明細書は、本願の優先権主張の基礎となる日本国特許出願である特願2015-006248号(2015年1月15日出願)の特許請求の範囲、明細書、および図面の開示内容を包含する。
【００６６】
以下の実施例により本発明を更に詳述するが、本発明はこれら実施例に限定して理解されるべきものではない。
【実施例１】
【００６７】
ラット一部肝切除モデル
ラット一部肝切除モデルを用いて、癒着の形成を評価した。ラット一部肝切除モデルは、重篤な炎症を惹起し高い強度を有する癒着の形成を再現性高く観察できるモデルである（Ｓｈｉｍｉｚｕ  Ａ  ｅｔ  ａｌ．，（２０１４）Ｓｕｒｇ  Ｔｏｄａｙ．（４４）：３１４−３２３）。具体的には、以下のように癒着の形成を評価した。【００６８】
［材料］
間葉系幹細胞（ＭＳＣ）は、ＳＤラット骨髄由来ＭＳＣを単離し、培養して用いた。
低エンドトキシンアルギン酸ナトリウムは、持田製薬株式会社から入手した。（低エンドトキシンアルギン酸ナトリウム（滅菌品）ＡＬ２０（Ｌｏｔ  ＮＯ．３Ｈ１９），エンドトキシン量５００ＥＵ／ｇ）
カルボキシメチルセルロース（ＣＭＣ）は、Ｓｉｇｍａ−Ａｌｄｒｉｃｈから入手した。（Ｓｏｄｉｕｍ  Ｃａｒｂｏｘｙｍｅｔｈｙｌ  ｃｅｌｌｕｌｏｓｅ（Ｓｉｇｍａ）４１９３３８−１００Ｇ，重量平均分子量：７００，０００，置換度０．９，カウンターイオンＮａ型）
Ｓｅｐｒａｆｉｌｍ（商品名）は、カルボキシメチルセルロース（ＣＭＣ）とヒアルロン酸を混合したシート状材料であり、Ｇｅｎｚｙｍｅ  ＧｍｂＨより入手した。
Ｉｎｔｅｒｃｅｅｄ（商品名）は、再生酸化セルロースシートであり、Ｊｏｈｎｓｏｎ＆Ｊｏｈｎｓｏｎより入手した。
ダブルシリンジは、バクスター株式会社のＤＵＰＬＯＪＥＣＴ  Ｓｙｓｔｅｍを使用した。
アルギン酸ナトリウムおよびＣＭＣは、リン酸緩衝生理食塩水（ＰＢＳ）や生理食塩水（０．９ｗ／ｖ％  ＮａＣｌ）に溶かして溶液として用いた。
ＰＢＳの組成は、以下の通りである。【００６９】
【表１】
2016114355.tif 000003
【００７０】
［実験群］
Ｃｏｎｔｒｏｌ群（ｎ＝４）：ｌｅｆｔ  ｌａｔｅｒａｌ  ｌｏｂｅの辺縁を３ｃｍ計測し切離し凝固止血した（無処置対照群）。
Ａｌｇｉｎａｔｅ／ＣＭＣ群（ｎ＝４）：低エンドトキシンアルギン酸ナトリウム３ｗｔ％溶液０．５ｍＬと、１００ｍＭＣａＣｌ２／１ｗｔ％ＣＭＣ溶液０．５ｍＬをダブルシリンジにより混合することにより作製したＡｌｇｉｎａｔｅ／ＣＭＣゲル１ｍＬを癒着防止材として適用した。Ａｌｇｉｎａｔｅ／ＣＭＣゲル中でのアルギン酸ナトリウムの含有量は３．０ｗｔ％であり、ＣＭＣの含有量は、１．０ｗｔ％であり、ＣａＣｌ２の含有量は１．１ｗｔ％であった。
Ａｌｇｉｎａｔｅ／ＣＭＣ＋ＭＳＣ群（ｎ＝４）：低エンドトキシンアルギン酸３ｗｔ％溶液０．５ｍＬと、１００ｍＭＣａＣｌ２／１ｗｔ％ＣＭＣ溶液０．５ｍＬをダブルシリンジにより混合することにより作製したＡｌｇｉｎａｔｅ／ＣＭＣゲル１ｍＬに間葉系幹細胞５．０×１０６ｃｅｌｌｓを封入し癒着防止材として適用した。
ＭＳＣ  ｉ．ｐ．群（ｎ＝４）：肝切除施術後すみやかに生理食塩水１ｍＬに懸濁した間葉系幹細胞５．０×１０６ｃｅｌｌｓを腹腔投与し閉腹した。
ＭＳＣ  ｉ．ｖ．群（ｎ＝４）：肝切除施術後すみやかに生理食塩水１ｍＬに懸濁した間葉系幹細胞５．０×１０６ｃｅｌｌｓを尾静脈注射により投与し閉腹した。
Ｓｅｐｒａｆｉｌｍ群（ｎ＝１０）：２×３ｃｍのＳｅｐｒａｆｉｌｍを癒着防止材として適用した。
Ｉｎｔｅｒｃｅｅｄ群（ｎ＝１０）：２×３ｃｍのＩｎｔｅｒｃｅｅｄを癒着防止材として適用した。【００７１】
［手順］
ペントバルビタール３５ｍｇ／ｋｇ相当の腹腔投与によりラットに麻酔をかけ、体重を電子天秤で測定した。その後、ラットを、正中切開で開腹した。次に、腹壁をピンセットでつまんで持ち上げ、腹壁を切断した。肝切除を行う前準備として、ｌｅｆｔ  ｌａｔｅｒａｌ  ｌｏｂｅを腹腔の奥から引き出し、その下にガーゼを敷いた。次に、実際の肝切除に移った。具体的には、ものさしを肝臓にあて、離断面が３ｃｍになる位置を探し、その両端に、バイポーラで焼灼し、印をつけた。印をつけた２点の間を直線的に切除していった。Ｃｏｎｔｒｏｌ群では、この後すぐ閉腹して処置を終了した。癒着防止材を適用する群では、この後、ガーゼを除去したのちに癒着防止材を適用した。ＭＳＣ  ｉ．ｐ．群およびＭＳＣ  ｉ．ｖ．群では、この後、すみやかに間葉系幹細胞を注射により投与した。次に、腹壁と皮膚を二回に分けて縫合し閉腹した。腹壁を縫合する際には生分解糸を用い、皮膚を縫合する際には非吸収糸を用いた。閉腹から一週間後に、ラットに過剰量の麻酔として約２ｍＬのソムノペンチル原液を投与して屠殺し、体重を電子天秤で測定した。その後、再び開腹し、以下の通り癒着を評価した。【００７２】
［癒着の評価］
癒着の評価は、目視により行った。腹腔内の以下の各部位について下記スコアリング法に基づき癒着スコアをつけた。
部位：肝離断面、大網、腹膜、小腸、正中創直下
癒着スコア：
Ｇｒａｄｅ０：癒着が全く見られない。
Ｇｒａｄｅ１：自重により剥離する程度の癒着（生理的な癒着）
Ｇｒａｄｅ２：ピンセットによる剥離が可能な癒着（鈍的な癒着）
Ｇｒａｄｅ３：ハサミ、メスを使わないと剥離できない癒着（鋭的な癒着）【００７３】
［結果］
癒着の評価の結果を図１および２に示し、体重測定の結果を図３に示す。
癒着の評価については、Ａｌｇｉｎａｔｅ／ＣＭＣ群が一部肝切除モデルにおいて高い癒着防止効果を示した他、このゲルにＭＳＣを封入したＡｌｇｉｎａｔｅ／ＣＭＣ＋ＭＳＣ群で、ほぼ同等の高い癒着防止効果を示した（図１および２）。
体重については、Ａｌｇｉｎａｔｅ／ＣＭＣ＋ＭＳＣ群では、他の群と比べ高い体重増加率を示し、ＭＳＣの投与により肝切除後の術後ストレスが軽減されたことが示唆された（図３）。また、Ａｌｇｉｎａｔｅ／ＣＭＣ群では、体重の変化があまり見られず、このゲルの適用による悪影響はないことが示唆された。
【実施例２】
【００７４】
ラット一部肝切除モデル
実施例１に記載のラット一部肝切除モデルを用いて、癒着の形成を評価した。具体的には、以下のように癒着の形成を評価した。【００７５】
［材料］
低エンドトキシンアルギン酸ナトリウムは、持田製薬株式会社から入手した。（低エンドトキシンアルギン酸ナトリウム（滅菌品）ＡＬ２０（Ｌｏｔ  ＮＯ．３Ｈ１９），エンドトキシン量７ＥＵ／ｇ）（低エンドトキシンアルギン酸ナトリウム（滅菌品）ＡＬ１００（Ｌｏｔ  ＮＯ．５Ｈ０８），エンドトキシン量７ＥＵ／ｇ）（低エンドトキシンアルギン酸ナトリウム（滅菌品）ＡＬ５００（Ｌｏｔ  ＮＯ．３Ｈ１７），エンドトキシン量１５ＥＵ／ｇ）
カルボキシメチルセルロース（ＣＭＣ）は、Ｓｉｇｍａ−Ａｌｄｒｉｃｈから入手した。（Ｓｏｄｉｕｍ  Ｃａｒｂｏｘｙｍｅｔｈｙｌ  ｃｅｌｌｕｌｏｓｅ（Ｓｉｇｍａ）４１９３３８−１００Ｇ，重量平均分子量：７００，０００，置換度０．９，カウンターイオンＮａ型）
低エンドトキシンＣＭＣは、持田製薬株式会社から入手した。（低エンドトキシンＣＭＣ（非滅菌）（Ｌｏｔ  ＮＯ．５Ｃ０４２５１，エンドトキシン量２４ＥＵ／ｇ）
Ｓｅｐｒａｆｉｌｍ（商品名）およびＩｎｔｅｒｃｅｅｄ（商品名）は、実施例１に記載の方法で入手したものを用いた。
ダブルシリンジは、実施例１に記載したものを使用した。
アルギン酸ナトリウムおよびＣＭＣは、リン酸緩衝生理食塩水（ＰＢＳ）や生理食塩水（０．９ｗ／ｖ％  ＮａＣｌ）に溶かして溶液として用いた。
ＰＢＳの組成は、実施例１に記載したものを使用した。
なお、本発明に用いたアルギン酸について、以下の各方法により測定した重量平均分子量を記載した。
［前処理方法］
試料に溶離液を加え溶解後、０．４５μｍメンブランフィルター濾過したものを測定溶液とした。
（１）ゲル浸透クロマトグラフィー（ＧＰＣ）測定
［測定条件（相対分子量分布測定）］
カラム：ＴＳＫｇｅｌ  ＧＭＰＷ−ＸＬ×２＋Ｇ２５００ＰＷ−ＸＬ（７．８ｍｍ  Ｉ．Ｄ．×３００ｍｍ×３本）
溶離液：２００ｍＭ硝酸ナトリウム水溶液
流量：１．０ｍＬ／ｍｉｎ．
濃度：０．０５％
検出器：ＲＩ検出器
カラム温度：４０℃
注入量：２００μＬ
分子量標準：標準プルラン、グルコース
［結果］
ＡＬ２０  ：    ３７０，０００
ＡＬ１００：    ８６０，０００
ＡＬ５００：１，５００，０００
（２）ＧＰＣ−ＭＡＬＳ測定
［測定条件（屈折率増分（ｄｎ／ｄｃ）測定）］
示差屈折率計：Ｏｐｔｉｌａｂ  Ｔ−ｒＥＸ
測定波長：６５８ｎｍ
測定温度：４０℃
溶媒：２００ｍＭ硝酸ナトリウム水溶液
試料濃度：０．５〜２．５ｍｇ／ｍＬ（５濃度）
［測定条件（絶対分子量分布測定）］
カラム：ＴＳＫｇｅｌ  ＧＭＰＷ−ＸＬ×２＋Ｇ２５００ＰＷ−ＸＬ（７．８ｍｍ  Ｉ．Ｄ．×３００ｍｍ×３本）
溶離液：２００ｍＭ硝酸ナトリウム水溶液
流量：１．０ｍＬ／ｍｉｎ．
濃度：０．０５％
検出器：ＲＩ検出器、光散乱検出器（ＭＡＬＳ）
カラム温度：４０℃
注入量：２００μＬ
［結果］
ＡＬ２０  ：    ７２，０００
ＡＬ１００：  １５０，０００
ＡＬ５００：  ２５０，０００
【００７６】
［実験群］
Ｃｏｎｔｒｏｌ群（ｎ＝８）：ｌｅｆｔ  ｌａｔｅｒａｌ  ｌｏｂｅの辺縁を３ｃｍ計測し切離し凝固止血した（無処置対照群）。
Ａｌｇｉｎａｔｅ／ＣＭＣ群（ｎ＝５〜９）：ＡＬ２０およびＡＬ１００については、アルギン酸ナトリウム３ｗｔ％溶液０．５ｍＬと、１００ｍＭＣａＣｌ２／１ｗｔ％ＣＭＣ溶液（１００ｍＭＣａＣｌ２と１ｗｔ％ＣＭＣとを含む溶液を意味する、以下同様）０．５ｍＬをダブルシリンジにより混合することにより作製したＡｌｇｉｎａｔｅ／ＣＭＣゲル１ｍＬを癒着防止材として適用した。Ａｌｇｉｎａｔｅ／ＣＭＣゲル中でのアルギン酸ナトリウムの含有量は３．０ｗｔ％であり、ＣＭＣの含有量は、１．０ｗｔ％であり、ＣａＣｌ２の含有量は１．１ｗｔ％であった。
ＡＬ５００については、アルギン酸ナトリウム１ｗｔ％溶液０．５ｍＬと、１００ｍＭＣａＣｌ２／１ｗｔ％ＣＭＣ溶液０．５ｍＬをダブルシリンジにより混合することにより作製したＡｌｇｉｎａｔｅ／ＣＭＣゲル１ｍＬを癒着防止材として適用した。Ａｌｇｉｎａｔｅ／ＣＭＣゲル中でのアルギン酸ナトリウムの含有量は１．０ｗｔ％であり、ＣＭＣの含有量は、１．０ｗｔ％であり、ＣａＣｌ２の含有量は１．１ｗｔ％であった。
Ａｌｇｉｎａｔｅ／ＣＭＣ群は、具体的には、以下の４つの群を用いた。
（１）ＡＬ２０（−）／ＣＭＣ（＋）：低エンドトキシン処理したアルギン酸（ＡＬ２０）と低エンドトキシン処理していないＣＭＣとの組合せ。
（２）ＡＬ２０（−）／ＣＭＣ（−）：低エンドトキシン処理したアルギン酸（ＡＬ２０）と低エンドトキシン処理したＣＭＣとの組合せ。
（３）ＡＬ１００／ＣＭＣ（−）：低エンドトキシン処理したアルギン酸（ＡＬ１００）と低エンドトキシン処理したＣＭＣとの組合せ
（４）ＡＬ５００−１％／ＣＭＣ（−）：低エンドトキシン処理したアルギン酸（ＡＬ５００；１％）と低エンドトキシン処理したＣＭＣとの組合せ
Ｓｅｐｒａｆｉｌｍ群（ｎ＝８）：２×３ｃｍのＳｅｐｒａｆｉｌｍを癒着防止材として適用した。
Ｉｎｔｅｒｃｅｅｄ群（ｎ＝８）：２×３ｃｍのＩｎｔｅｒｃｅｅｄを癒着防止材として適用した。【００７７】
［手順］
ペントバルビタール３５ｍｇ／ｋｇ相当の腹腔投与によりラットに麻酔をかけ、体重を電子天秤で測定した。その後、ラットを、正中切開で開腹した。次に、腹壁をピンセットでつまんで持ち上げ、腹壁を切断した。肝切除を行う前準備として、ｌｅｆｔ  ｌａｔｅｒａｌ  ｌｏｂｅを腹腔の奥から引き出し、その下にガーゼを敷いた。次に、実際の肝切除に移った。具体的には、ものさしを肝臓にあて、離断面が３ｃｍになる位置を探し、その両端に、バイポーラで焼灼し、印をつけた。印をつけた２点の間を直線的に切除していった。Ｃｏｎｔｒｏｌ群では、この後すぐ閉腹して処置を終了した。癒着防止材を適用する群では、この後、ガーゼを除去したのちに癒着防止材を適用した。次に、腹壁と皮膚を二回に分けて縫合し閉腹した。腹壁を縫合する際には生分解糸を用い、皮膚を縫合する際には非吸収糸を用いた。閉腹から一週間後に、ラットに過剰量の麻酔として約２ｍＬのソムノペンチル原液を投与して屠殺し、体重を電子天秤で測定した。
その後、再び開腹し、以下の通り癒着を評価した。【００７８】
［癒着の評価］
以下の通り、癒着の評価を行った。
（１）離断面
上記［手順］に記載した肝離断面について、以下の（ａ）、（ｂ）の評価を行った。
（ａ）癒着グレード
癒着の評価は、目視により行った。肝離断面について、下記スコアリング法に基づき癒着スコアをつけた。
癒着スコア：
Ｇｒａｄｅ０：癒着が全く見られない。
Ｇｒａｄｅ１：自重により剥離する程度の癒着（生理的な癒着）
Ｇｒａｄｅ２：ピンセットによる剥離が可能な癒着（鈍的な癒着）
Ｇｒａｄｅ３：ハサミ、メスを使わないと剥離できない癒着（鋭的な癒着）
（ｂ）癒着Ｅｘｔｅｎｔ
３ｃｍの肝離断面のうち、癒着が形成された幅をものさしをあてて計測し、ｍｍで表した（従って、離断面の最大Ｅｘｔｅｎｔは３０ｍｍとなる）。
（２）非離断面
肝離断面以外、具体的には肝表面、大網、腹膜、小腸、正中創直下、等について、以下の（ａ）、（ｂ）の評価を行った。
（ａ）癒着グレード
癒着の評価は、目視により行った。肝離断面以外の部位について、下記スコアリング法に基づき癒着スコアをつけた。部位は特定せず、認められた癒着スコアの最大値を、その試験動物の癒着スコアとして記録した。
癒着スコア：
Ｇｒａｄｅ０：癒着が全く見られない。
Ｇｒａｄｅ１：自重により剥離する程度の癒着（生理的な癒着）
Ｇｒａｄｅ２：ピンセットによる剥離が可能な癒着（鈍的な癒着）
Ｇｒａｄｅ３：ハサミ、メスを使わないと剥離できない癒着（鋭的な癒着）
（ｂ）癒着Ｅｘｔｅｎｔ
肝離断面以外の部位について、癒着が形成された幅をものさしをあてて計測し、ｍｍで表した。上記（２）（ａ）と同様、部位は特定せず、認められた癒着が形成された幅の最大値を、その試験動物の癒着Ｅｘｔｅｎｔとして記録した。
【００７９】
［結果］
癒着の評価の結果を図４（離断面）および図５（非離断面）に示した。
離断面においては、各群とも、Ｃｏｎｔｒｏｌ群に比べて癒着が抑制される傾向が認められた（図４（ａ）および（ｂ））。
非離断面において、本発明のＡｌｇｉｎａｔｅ／ＣＭＣゲルによる、顕著な癒着防止効果が確認された（図５（ａ）および（ｂ））。陽性対照として用いたＳｅｐｒａｆｉｌｍ（商品名）およびＩｎｔｅｒｃｅｅｄ（商品名）では癒着防止効果は認められず、Ｃｏｎｔｒｏｌ群に比べて癒着が増悪する傾向が認められた。一方、Ａｌｇｉｎａｔｅ／ＣＭＣゲルでは、各群とも優位な癒着防止効果が確認された。また、低エンドトキシン処理していないＣＭＣに比べ、低エンドトキシン処理したＣＭＣを用いることにより、癒着防止効果が高まる傾向が認められた。
体重については、Ｃｏｎｔｒｏｌ群、陽性対照群、およびＡｌｇｉｎａｔｅ／ＣＭＣ群間で有意差はなく、本発明のＡｌｇｉｎａｔｅ／ＣＭＣゲルの適用による悪影響はないことが示唆された。
【図１】
2016114355.tif 000004
【図２】
2016114355.tif 000005
【図３】
2016114355.tif 000006
【図４】
2016114355.tif 000007
【図５】
2016114355.tif 000008
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
（ａ）低エンドトキシンアルギン酸の１価金属塩、（ｂ）カルボキシメチルセルロースまたはその薬学的に許容される塩、および（ｃ）細胞を組合せて用い、細胞が間葉系幹細胞である、癒着防止用組成物。
【請求項２】
前記アルギン酸の１価金属塩のエンドトキシン含有量が、５００ＥＵ／ｇ以下である、請求項１に記載の組成物。
【請求項３】
前記アルギン酸の１価金属塩が、アルギン酸ナトリウムまたはアルギン酸カリウムである、請求項１または２に記載の組成物。
【請求項４】
前記組成物が、流動性を有する液体状である、請求項１〜３のいずれか１項に記載の組成物。
【請求項５】
前記組成物の粘度が、５ｍＰａ・ｓ〜１０００００ｍＰａ・ｓである、請求項４に記載の組成物。
【請求項６】
さらに、アルギン酸の１価金属塩の硬化剤を含有する、請求項１〜３のいずれか１項に記載の組成物。
【請求項７】
（ａ）低エンドトキシンアルギン酸の１価金属塩、および（ｂ）低エンドトキシンカルボキシメチルセルロースまたはその薬学的に許容される塩を組合せて用い、かつ（ｃ）細胞を用いない、癒着防止用組成物。
【請求項８】
前記アルギン酸の１価金属塩のエンドトキシン含有量が、５００ＥＵ／ｇ以下である、請求項７に記載の組成物。
【請求項９】
前記アルギン酸の１価金属塩が、アルギン酸ナトリウムまたはアルギン酸カリウムである、請求項７または８に記載の組成物。
【請求項１０】
前記組成物が、流動性を有する液体状；シート状、スポンジ状、粉体およびパウダー状からなる群から選択される固形物状；半固形状；またはゲル状である、請求項７〜９のいずれか１項に記載の組成物。
【請求項１１】
前記組成物が、流動性を有する液体状であり、その粘度が、５ｍＰａ・ｓ〜１０００００ｍＰａ・ｓである、請求項１０に記載の組成物。
【請求項１２】
さらに、アルギン酸の１価金属塩の硬化剤を含有する、請求項７〜１０のいずれか１項に記載の組成物。
【請求項１３】
（ｂ）カルボキシメチルセルロースまたはその薬学的に許容される塩、および（ｃ）細胞と組合せて用いられ、細胞が間葉系幹細胞である、（ａ）低エンドトキシンアルギン酸の１価金属塩を含有する癒着防止用組成物。
【請求項１４】
（ｂ）低エンドトキシンカルボキシメチルセルロースまたはその薬学的に許容される塩と組合せて用いられ、かつ（ｃ）細胞を用いない、（ａ）低エンドトキシンアルギン酸の１価金属塩を含有する癒着防止用組成物。
【請求項１５】
請求項１〜１４のいずれか１項に記載の組成物を製造するために用いられる、低エンドトキシンアルギン酸の１価金属塩を含有する製剤。
【請求項１６】
（ａ）低エンドトキシンアルギン酸の１価金属塩、（ｂ）低エンドトキシンカルボキシメチルセルロースまたはその薬学的に許容される塩、および硬化剤を含む癒着防止用キット。
【請求項１７】
（ｃ）細胞と組み合わせて用いられ、細胞が間葉系幹細胞である、（ａ）低エンドトキシンアルギン酸の１価金属塩、（ｂ）カルボキシメチルセルロースまたはその薬学的に許容される塩、および硬化剤を含む癒着防止用キット。
【請求項１８】
（ａ）低エンドトキシンアルギン酸の１価金属塩、および（ｂ）硬化剤を含む低エンドトキシンカルボキシメチルセルロースまたはその薬学的に許容される塩を含む癒着防止用キット。
【請求項１９】
（ｃ）細胞と組み合わせて用いられ、細胞が間葉系幹細胞である、（ａ）低エンドトキシンアルギン酸の１価金属塩、および（ｂ）硬化剤を含むカルボキシメチルセルロースまたはその薬学的に許容される塩を含む癒着防止用キット。
【国際調査報告】
2016114355.tif 000009
2016114355.tif 000010
2016114355.tif 000011
2016114355.tif 000012
2016114355.tif 000013
2016114355.tif 000014
2016114355.tif 000015